(57)【要約】【課題】一側面によれば、映像の表示中の消費電力を自律的に低減することが可能な情報処理装置を提供する。【解決手段】内蔵ＴＶチューナー５は映像を表示装置に表示する。インスタントＴＶチューナー部１２はＯＳを起動することなく映像を表示装置に表示する。表示制御部４は、ＯＳ上で動作するテレビアプリ３により内蔵ＴＶチューナー５からの映像をディスプレイ１０に表示している場合において、パーソナルコンピュータ１が予め定められた状態である場合に、内蔵ＴＶチューナー５からの映像をインスタントＴＶチューナー部１２からの映像に切り替えて表示装置に表示する。【選択図】図１
2014123242.tif 000002
【特許請求の範囲】
【請求項１】
映像を表示装置に表示する内蔵ＴＶチューナーと、
ＯＳを起動することなく映像を表示装置に表示するインスタントＴＶチューナーと、
前記ＯＳ上で動作するアプリケーションにより前記内蔵ＴＶチューナーからの映像を表示装置に表示している場合において、情報処理装置が予め定められた状態である場合に、前記内蔵ＴＶチューナーからの映像を前記インスタントＴＶチューナーからの映像に切り替えて表示装置に表示する表示制御部とを含む
ことを特徴とする情報処理装置。
【請求項２】
前記情報処理装置が予め定められた状態である場合は、前記ＯＳ上で動作する前記アプリケーションにより前記内蔵ＴＶチューナーからの映像を表示装置に表示する処理以外の処理の指示が、予め定められた期間、入力されない場合である
ことを特徴とする請求項１に記載の情報処理装置。
【請求項３】
前記表示制御部は、前記内蔵ＴＶチューナーからの映像を表示装置に表示する処理以外の処理の指示が、予め定められた期間、入力されない場合に、前記ＯＳを予め定められた状態とする
ことを特徴とする請求項２に記載の情報処理装置。
【請求項４】
前記ＯＳの予め定められた状態は、シャットダウン、スリープ又はハイバネーションのいずれかの状態である
ことを特徴とする請求項３に記載の情報処理装置。
【請求項５】
前記表示制御部は、前記内蔵ＴＶチューナーからの映像を前記インスタントＴＶチューナーからの映像に切り替える場合に、前記インスタントＴＶチューナーに、チャンネル情報を通知する
ことを特徴とする請求項１に記載の情報処理装置。
【請求項６】
前記表示制御部は、前記内蔵ＴＶチューナーからの映像を前記インスタントＴＶチューナーからの映像に切り替えて表示装置に表示する場合に、前記インスタントＴＶチューナーからの映像を表示するための回路に電力を供給させ、前記インスタントＴＶチューナーからの映像を表示するための回路以外の回路であって予め定められた回路への電力の供給を停止する
ことを特徴とする請求項１に記載の情報処理装置。
【請求項７】
映像を表示装置に表示する内蔵ＴＶチューナーと、ＯＳを起動することなく映像を表示装置に表示するインスタントＴＶチューナーとを含む情報処理装置の表示制御方法であって、
前記ＯＳ上で動作するアプリケーションにより前記内蔵ＴＶチューナーからの映像を表示装置に表示している場合において、前記情報処理装置が予め定められた状態である場合に、前記内蔵ＴＶチューナーからの映像を前記インスタントＴＶチューナーからの映像に切り替えて表示装置に表示する
ことを特徴とする表示制御方法。
【請求項８】
映像を表示装置に表示する内蔵ＴＶチューナーと、ＯＳを起動することなく映像を表示装置に表示するインスタントＴＶチューナーとを含む情報処理装置を制御する表示制御プログラムであって、
コンピュータに、
前記ＯＳ上で動作するアプリケーションにより前記内蔵ＴＶチューナーからの映像を表示装置に表示している場合において、前記情報処理装置が予め定められた状態である場合に、前記内蔵ＴＶチューナーからの映像を前記インスタントＴＶチューナーからの映像に切り替えて表示装置に表示する、処理を実行させる
ことを特徴とする表示制御プログラム。
【発明の詳細な説明】
【技術分野】
【０００１】
本発明は、情報処理装置、表示制御方法、表示制御プログラムに関する。
【背景技術】
【０００２】
テレビ機能を搭載したパーソナルコンピュータでテレビを視聴しようとすると、ユーザは、テレビ映像を表示するための操作をした時点から実際にテレビ映像が表示されるまで、長時間待たされる。これは、パーソナルコンピュータのＢＩＯＳ（Ｂａｓｉｃ  Ｉｎｐｕｔ／Ｏｕｔｐｕｔ  Ｓｙｓｔｅｍ）の初期化処理及びＯＳ（Ｏｐｅｒａｔｉｎｇ  Ｓｙｓｔｅｍ）の起動処理の完了の後に、テレビ用ハードウェア及びアプリケーションの起動及び初期化処理が開始され完了して、始めてテレビ映像が表示できるようになるためである。そこで、ＯＳを必要とせずテレビ機能を実現するハードウェアをパーソナルコンピュータに内蔵し、ＯＳを起動すること無くテレビ映像を速やかに表示する機能、換言すれば、インスタントテレビ機能を有するパーソナルコンピュータが開発されている。
【０００３】
しかし、インスタントテレビ機能を有するパーソナルコンピュータにおいても、ＯＳの起動後にテレビ映像を表示する場合は、ＯＳ上で動作するアプリケーションを使用したテレビ映像の表示が行われる。これは、インスタントテレビ機能が、テレビ映像を表示する機能は備えるものの、早送り、再生、コマ送り、一時停止等の機能を持たないためである。ＯＳ上で動作するアプリケーションの機能を使ってテレビ映像を表示する場合、パーソナルコンピュータを構成するハードウェアの殆どが動作しているので、消費電力が極めて大きい。これは、テレビ映像を表示する場合には、テレビ映像のデコード及び表示、テレビ映像のハードディスクへの書き込み、テレビ音声の出力等の処理が付加されるためである。そこで、テレビ機能搭載パーソナルコンピュータにおいてテレビ映像の表示中の消費電力を低減する方法が提案されている。
【０００４】
例えば、ＴＶ画像データを表示部に素早く表示でき、且つ、消費電力を節約することのできるＴＶ画像表示機能付きパソコンとして、ＴＶスイッチをオンにしたとき、電源制御部は、ＴＶ画像受信機とタイミング調整・信号セレクタ部と液晶表示部とにのみ電源供給を行い、タイミング調整・信号セレクタ部は、ＴＶ画像受信機からの信号を選択して入力し、動作タイミングの調整とＲＧＢ信号への変換とを行い、液晶表示部および外部表示部に出力する、ことが提案されている。
【先行技術文献】
【特許文献】
【０００５】
【特許文献１】特開２００３−１５３１０９号公報
【発明の概要】
【発明が解決しようとする課題】
【０００６】
前述したような、テレビ機能を搭載したパーソナルコンピュータにおけるテレビ映像の表示中の消費電力を低減する方法によれば、通常モードの起動スイッチと、低消費電力モードの起動スイッチとが設けられる。そして、低消費電力モードの起動スイッチの押下時に、テレビ映像の表示に必要なハードウェアのみに電力が供給され、消費電力が低減される。
【０００７】
しかし、テレビ映像の表示中の消費電力を低減するためには、情報処理装置の電源オン時に、ユーザが意識して低消費電力モードを選択する動作を行うことが求められる。従って、ユーザに消費電力を低減する意識がなければ、情報処理装置自体は低消費電力モードを備えているとしても、実際には、情報処理装置の低消費電力化は難しい。
【０００８】
本発明は、一側面によれば、映像の表示中の消費電力を自律的に低減することが可能な情報処理装置を提供することを目的とする。
【課題を解決するための手段】
【０００９】
開示される情報処理装置は、一側面によれば、映像を表示装置に表示する内蔵ＴＶチューナーと、ＯＳを起動することなく映像を表示装置に表示するインスタントＴＶチューナーと、ＯＳ上で動作するアプリケーションにより内蔵ＴＶチューナーからの映像を表示装置に表示している場合において、情報処理装置が予め定められた状態である場合に、内蔵ＴＶチューナーからの映像をインスタントＴＶチューナーからの映像に切り替えて表示装置に表示する表示制御部とを含む。
【発明の効果】
【００１０】
開示される情報処理装置は、一側面によれば、映像の表示中の消費電力を自律的に低減することができる。
【図面の簡単な説明】
【００１１】
【図１】パーソナルコンピュータの構成の一例を示す図である。
【図２】パーソナルコンピュータのハードウェア構成の一例を示す図である。
【図３】パーソナルコンピュータにおけるテレビ映像表示処理フローである。
【図４】パーソナルコンピュータにおけるテレビ映像表示処理フローである。
【図５】パーソナルコンピュータにおけるテレビ映像表示処理フローである。
【図６】パーソナルコンピュータにおけるテレビ映像表示処理フローである。
【図７】パーソナルコンピュータにおけるテレビ映像表示処理フローである。
【図８】パーソナルコンピュータにおけるテレビ映像表示処理フローである。
【発明を実施するための形態】
【００１２】
図１は、パーソナルコンピュータの構成の一例を示す図である。
【００１３】
パーソナルコンピュータ１は、パソコン制御部２と、テレビアプリ３と、表示制御部４と、内蔵ＴＶチューナー５と、ＴＶアンテナ部６と、オーディオ部７と、グラフィックス部８と、スケーラー９と、ディスプレイ１０と、通信路１１と、インスタントＴＶチューナー部１２と、電源部１３とを含む。
【００１４】
パーソナルコンピュータ１は、情報処理装置の一例であり、テレビ機能を含むパーソナルコンピュータである。従って、パーソナルコンピュータ１はＴＶアンテナ部６を含む。ＴＶアンテナ部６は、放送電波、換言すれば、放送波信号を受信して、内蔵ＴＶチューナー５及びインスタントＴＶチューナー部１２のインスタントＴＶチューナー２２に分配する。
【００１５】
テレビ機能は、ＴＶアンテナ部６が受信した放送波信号に基づくテレビ映像をディスプレイ１０に表示する。テレビ機能は、内蔵ＴＶチューナー５及びインスタントＴＶチューナー部１２の各々により、個別に実現される。内蔵ＴＶチューナー５及びインスタントＴＶチューナー部１２は、各々、映像をディスプレイ１０に表示する。内蔵ＴＶチューナー５からの映像を表示するテレビ機能を内蔵テレビといい、インスタントＴＶチューナー部１２、具体的には後述するインスタントＴＶチューナー２２からの映像を表示するテレビ機能をインスタントテレビという。
【００１６】
内蔵テレビとインスタントテレビとは、通信路１１を介して通信を行うことにより、チャンネル情報を共有することができる。チャンネル情報は、内蔵テレビ及びインスタントテレビの各々が受信している放送電波のチャンネルを示す識別情報である。チャンネル情報は、実際には、後述するテレビアプリ３とインスタントＴＶ制御部２３との間で送受信される。なお、内蔵テレビとインスタントテレビとは、並行して動作するようにしてもよく、また、排他的に動作するようにしてもよい。
【００１７】
ＴＶアンテナ部６、スケーラー９、ディスプレイ１０及び電源部１３は、内蔵テレビとインスタントテレビとにより共用される。インスタントＴＶチューナー部１２は、インスタントテレビ専用のハードウェア及びソフトウェアである。内蔵ＴＶチューナー５、オーディオ部７及びグラフィックス部８は、内蔵テレビ専用のハードウェア及びソフトウェアである。パソコン制御部２は、パーソナルコンピュータ１の主要部であると共に、内蔵テレビの一部を構成する。
【００１８】
パソコン制御部２は、パーソナルコンピュータ１全体の制御を行い、後述するＣＰＵ１４を含む。換言すれば、ＣＰＵ１４上で、ＯＳ、ＢＩＯＳ、種々のアプリケーションプログラムが実行されることにより、パーソナルコンピュータ１が制御され、種々の処理が実行される。なお、以下の説明において、アプリケーションプログラムをアプリケーションという。
【００１９】
テレビアプリ３は、ＯＳ上で動作するアプリケーションであり、ＣＰＵ１４上で実行され、チャンネル選択等のユーザの操作に従って、内蔵ＴＶチューナー５を制御する。内蔵ＴＶチューナー５は、ＯＳ上で動作するテレビアプリ３により制御されるチューナーである。テレビアプリ３と内蔵ＴＶチューナー５とにより、内蔵テレビが実現される。
【００２０】
表示制御部４は、ＯＳ上で動作するアプリケーションであり、ＣＰＵ１４上で実行される。表示制御部４は、内蔵ＴＶチューナー５からの映像がディスプレイ１０に表示されている場合において、後述するように、パーソナルコンピュータ１が予め定められた状態である場合に、内蔵ＴＶチューナー５からの映像をインスタントＴＶチューナー２２からの映像に切り替える。
【００２１】
オーディオ部７は、ＯＳ上で動作するアプリケーションであり、ユーザによるテレビ音声についての入力を受け取ったテレビアプリ３からの指示に従って、音量の増減等の音声についての種々の処理を実行する。グラフィックス部８は、ＯＳ上で動作するアプリケーションであり、ユーザによるテレビ映像についての入力を受け取ったテレビアプリ３からの指示に従って、早送り等の映像についての種々の処理を実行する。なお、オーディオ部７及びグラフィックス部８は、各々、ＯＳ上で動作するアプリケーションであるので、パソコン制御部２のＣＰＵ１４で実行される。従って、オーディオ部７及びグラフィックス部８は、実際には、パソコン制御部２に含まれる。
【００２２】
スケーラー９は、オーディオ部７及びグラフィックス部８からの出力と、インスタントＴＶチューナー部１２からの出力を制御する。換言すれば、スケーラー９は、内蔵ＴＶチューナー５からの映像と、インスタントＴＶチューナー２２からの映像とに基づいて、表示対象の映像を生成して、ディスプレイ１０に入力する。なお、オーディオ部７からの出力と、インスタントＴＶチューナー部１２からの音声の出力は、例えばスピーカに入力される。
【００２３】
ディスプレイ１０は、例えば液晶表示装置であり、スケーラー９からの映像を出力する。換言すれば、ディスプレイ１０は、内蔵ＴＶチューナー５からの映像と、インスタントＴＶチューナー２２からの映像とを表示する。
【００２４】
電源部１３は、パーソナルコンピュータ１に電力を供給する。電源部１３は、表示制御部４からの指示に従って、内蔵ＴＶチューナー５からの映像をインスタントＴＶチューナー２２からの映像に切り替える場合に、後述するように、パーソナルコンピュータ１の予め定められた回路への電力の供給を停止する。
【００２５】
図２は、パーソナルコンピュータのハードウェア構成の一例を示す図である。
【００２６】
パーソナルコンピュータ１は、内蔵ＴＶチューナー５と、スケーラー９と、ディスプレイ１０と、通信路１１と、電源部１３と、ＣＰＵ（Ｃｅｎｔｒａｌ  Ｐｒｏｃｅｓｓｉｎｇ  Ｕｎｉｔ）１４と、システムコントローラー１５と、ＨＤＤ１６と、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）回路１７と、ＲＡＭ（Ｒａｎｄｏｍ  Ａｃｃｅｓｓ  Ｍｅｍｏｒｙ）１８と、キーボードコントローラー１９と、ＥＥＰＲＯＭ（Ｅｌｅｃｔｒｉｃａｌｌｙ  Ｅｒａｓａｂｌｅ  Ｐｒｏｇｒａｍａｂｌｅ  Ｒｅａｄ  Ｏｎｌｙ  Ｍｅｍｏｒｙ）２０と、電源監視部２１と、インスタントＴＶチューナー２２と、インスタントＴＶ制御部２３と、リモートコントローラー受光部２４と、リモートコントローラー２５と、アンテナ６１と、アンテナコネクタ６２と、分配器６３とを含む。なお、リモートコントローラー受光部２４をリモコン受光部２４といい、リモートコントローラー２５をリモコン２５という。
【００２７】
内蔵テレビ１００は、点線で囲んだ範囲に含まれる各々のハードウェアにより構成される。インスタントテレビ２００は、一点鎖線で囲んだ範囲に含まれる各々のハードウェアにより構成される。
【００２８】
パソコン制御部２は、ＣＰＵ１４と、システムコントローラー１５と、ＨＤＤ１６と、ＣＭＯＳ回路１７と、ＲＡＭ１８と、キーボードコントローラー１９と、ＥＥＰＲＯＭ２０と、電源監視部２１とを含む。ＴＶアンテナ部６は、アンテナ６１と、アンテナコネクタ６２と、分配器６３とを含む。インスタントＴＶチューナー部１２は、インスタントＴＶチューナー２２と、インスタントＴＶ制御部２３と、リモコン受光部２４とを含む。
【００２９】
前述したように、ＴＶアンテナ部６、スケーラー９、ディスプレイ１０及び電源部１３は、内蔵テレビとインスタントテレビとにより共用される。また、インスタントＴＶ制御部２３及びリモコン受光部２４も、内蔵テレビとインスタントテレビとにより共用される。従って、リモコン２５も、内蔵テレビとインスタントテレビとにより共用される。
【００３０】
システムコントローラー１５は、データの入出力管理等、パーソナルコンピュータ１全体の制御を行う。システムコントローラー１５には、バスを介して、ＨＤＤ１６と、ＣＭＯＳ回路１７と、ＲＡＭ１８と、キーボードコントローラー１９と、ＥＥＰＲＯＭ２０と、電源監視部２１が接続される。システムコントローラー１５は、バス及び通信路１１を介して、インスタントＴＶ制御部２３に接続される。
【００３１】
ＣＰＵ１４は、ＲＡＭ１８に読み出されたＯＳ、ＢＩＯＳ、アプリケーション等の種々のプログラムを、システムコントローラー１５を介して読み込んで実行する。ＲＡＭ１８は、主記憶装置の一例であり、ＨＤＤ１６又はＥＥＰＲＯＭ２０から読み出されたプログラムの実行のための領域である。ＨＤＤ１６は、ストレージの一例であり、ＯＳやアプリケーションを格納する。ＥＥＰＲＯＭ２０は、不揮発性記憶装置の一例であり、パーソナルコンピュータ１に電源が投入された後に最初に実行されるＢＩＯＳを格納する。ＣＭＯＳ回路１７は、ＢＩＯＳメニューの設定を記憶する。キーボードコントローラー１９は、キーボードからの入力を検出する。
【００３２】
電源監視部２１は、パーソナルコンピュータ１の電源ボタンが操作されたか否かを監視する。例えば、電源監視部２１は、パーソナルコンピュータ１の電源ボタンが操作されたことを検出し、システムコントローラー１５に通知する。
【００３３】
アンテナ６１は放送波信号を受信し、受信した放送波信号をアンテナコネクタ６２を介して分配器６３へ伝達する。分配器６３は、受信した放送波信号をインスタントＴＶチューナー２２と内蔵ＴＶチューナー５とに分配する。
【００３４】
リモコン２５は、機能名が記載されたボタンを備え、ユーザによって押されたボタンに対応するコードを赤外線に変換し送出する。リモコン受光部２４は、リモコン２５から送出された赤外線を電気信号に変え、インスタントＴＶ制御部２３に伝達する。
【００３５】
インスタントＴＶ制御部２３は、インスタントテレビを制御するハードウェアの一例であり、例えば１個のマイクロコンピュータである。インスタントＴＶ制御部２３は、リモコン受光部２４から伝達された電気信号をデコードし、デコードの結果に基づいて対応するコマンドを生成し、生成したコマンドをスケーラー９やシステムコントローラー１５に対して発行する。なお、図２の例において、インスタントＴＶ制御部２３は、送受信するチャンネル情報を一時的に格納する不揮発性メモリを持つ。
【００３６】
次に、内蔵テレビについて説明する。
【００３７】
内蔵ＴＶチューナー５は、テレビチューナーであり、内蔵テレビの主要部分を実現するハードウェアユニットである。内蔵ＴＶチューナー５を制御するテレビアプリ３は、システムコントローラー１５、通信路１１及びインスタントＴＶ制御部２３を通してインスタントＴＶチューナー２２との間で、例えばチャンネル情報の送受信を行う。内蔵ＴＶチューナー５は、受信した放送波信号をデコードし、システムコントローラー１５を介して、テレビアプリ３にデコード結果を送る。テレビアプリ３は、受け取ったデコード結果を、映像信号としてスケーラー９へ出力する。また、テレビアプリ３は、映像出力命令を発行し、ＨＤＤ１６に映像データを保存する。
【００３８】
内蔵ＴＶチューナー５は、ＯＳ上で動作するテレビアプリ３により制御され、映像を表示装置に表示する。内蔵ＴＶチューナー５とテレビアプリ３とにより内蔵テレビの主要部が構成される。テレビアプリ３の起動により、内蔵ＴＶチューナー５が動作し、内蔵ＴＶチューナー５から映像が出力される。
【００３９】
次に、インスタントテレビについて説明する。
【００４０】
インスタントＴＶチューナー２２は、実際には、テレビチューナーと、制御用のファームウェアを格納するＲＡＭ及びＲＯＭと、受信した放送波信号のデコード処理を行うＣＰＵとを含む。インスタントＴＶチューナー２２は、インスタントテレビの主要部分を実現するハードウェアユニットである。インスタントＴＶチューナー２２は、前述したように、内蔵ＴＶチューナー５を制御するテレビアプリ３との間で、チャンネル情報の送受信を行う。インスタントＴＶチューナー２２は、受信した放送波信号をデコードし、映像信号としてスケーラー９へ出力する。
【００４１】
インスタントＴＶチューナー２２は、ＯＳを起動することなく、映像を表示装置に表示する。インスタントＴＶチューナー２２によりインスタントテレビの主要部が構成される。ＴＶスイッチのオンにより、即時に、インスタントＴＶチューナー２２が動作し、インスタントＴＶチューナー２２から映像が出力される。ＴＶスイッチは、パーソナルコンピュータ１の電源ボタンとは別に、例えばリモコン２５に設けられる。
【００４２】
スケーラー９は、ＣＰＵ１４からシステムコントローラー１５を介して受け取ったコマンド、又は、リモコン受光部２４からインスタントＴＶ制御部２３を介して受け取ったコマンドに基づいて映像信号を生成し、生成した映像信号をディスプレイ１０に転送して表示する。また、スケーラー９は、インスタントＴＶ制御部２３からのコマンドに従って画面を切り替え、また、輝度調整を行う。
【００４３】
表示制御部４、換言すれば、ＣＰＵ１４は、テレビアプリ３により内蔵ＴＶチューナー５からの映像をディスプレイ１０に表示している場合において、パーソナルコンピュータ１が予め定められた状態である場合に、内蔵ＴＶチューナー５からの映像をインスタントＴＶチューナー２２からの映像に切り替えてディスプレイ１０に表示する。これにより、ユーザの特別な操作を必要とすることなく、パーソナルコンピュータ１全体の消費電力を低減することができる。
【００４４】
具体的には、表示制御部４、換言すれば、ＣＰＵ１４は、テレビアプリ３により内蔵ＴＶチューナー５からの映像をディスプレイ１０に表示する処理以外の処理の指示が、予め定められた期間、入力されない場合に、パーソナルコンピュータ１が予め定められた状態であると判断する。テレビアプリ３により内蔵ＴＶチューナー５からの映像をディスプレイ１０に表示する処理以外の処理の指示が入力されない場合とは、ユーザが、パーソナルコンピュータ１の操作を行っていない状態、換言すれば、テレビを見ているだけの状態である。内蔵ＴＶチューナー５からの映像をディスプレイ１０に表示する処理以外の処理の指示は、キーボード、マウス、テレビのリモコン２５又はパーソナルコンピュータ１の電源ボタンの操作により入力される指示である。換言すれば、パーソナルコンピュータ１は、ユーザによる、キーボード、マウス、テレビのリモコン２５又はパーソナルコンピュータ１の電源ボタンの操作により操作される。
【００４５】
そして、ユーザが、パーソナルコンピュータ１の操作を行っていない状態であるなら、表示制御部４、換言すれば、ＣＰＵ１４は、内蔵ＴＶチューナー５からの映像をインスタントＴＶチューナー２２からの映像に切り替えてディスプレイ１０に表示する。これにより、テレビ映像の表示という状態を維持したままで、ユーザの特別な操作を必要とすることなく、パーソナルコンピュータ１全体の消費電力を低減することができる。
【００４６】
内蔵ＴＶチューナー５からの映像をディスプレイ１０に表示する場合の消費電力は、インスタントＴＶチューナー２２からの映像をディスプレイ１０に表示する場合の消費電力よりも大きい。これは、内蔵ＴＶチューナー５からの映像をディスプレイ１０に表示する場合、ＯＳやテレビアプリ３が動作し、ＨＤＤ１６への映像の記録や読み出し等が実行されるためである。インスタントＴＶチューナー２２からの映像をディスプレイ１０に表示する場合、ＯＳは停止され、テレビアプリ３は動作せず、ＨＤＤ１６への映像の記録や読み出し等は実行されない。
【００４７】
また、表示制御部４、換言すれば、ＣＰＵ１４は、内蔵ＴＶチューナー５からの映像をディスプレイ１０に表示する処理以外の処理の指示が予め定められた期間入力されない場合に、ＯＳを予め定められた状態とする。具体的には、表示制御部４、換言すれば、ＣＰＵ１４は、ＯＳをシャットダウンの状態、換言すれば、ＯＳを停止する。これにより、パーソナルコンピュータ１全体の消費電力を低減することができる。
【００４８】
なお、表示制御部４、換言すれば、ＣＰＵ１４が、ＯＳをスリープ又はハイバネーションのいずれかの状態とするようにしてもよい。スリープは、ＡＣＰＩのＳ３ステートであり、その時点でのＯＳの状態がＲＡＭ１８に保存される。ハイバネーションは、ＡＣＰＩのＳ４ステートであり、その時点でのＯＳの状態がＨＤＤ１６に保存される。
【００４９】
この場合において、スリープ又はハイバネーションのいずれかの状態である期間中に、キーボード、マウス、テレビのリモコン２５のパーソナルコンピュータ１の起動ボタン又はパーソナルコンピュータ１の電源ボタンが操作された場合に、ＯＳは、スリープ又はハイバネーションのいずれかの状態から動作状態に復帰する。従って、テレビアプリ３により内蔵ＴＶチューナー５からの映像をディスプレイ１０に表示する処理以外の処理の指示が入力された場合、換言すれば、ユーザがパーソナルコンピュータ１の操作を行った場合に、ＯＳは、スリープ又はハイバネーションのいずれかの状態から動作状態に復帰する。
【００５０】
また、表示制御部４、換言すれば、ＣＰＵ１４は、内蔵ＴＶチューナー５からの映像をインスタントＴＶチューナー２２からの映像に切り替えてディスプレイ１０に表示する場合に、インスタントＴＶチューナー２２からの映像を表示するための回路に電力を供給させ、インスタントＴＶチューナー２２からの映像を表示するための回路以外の回路であって予め定められた回路への電力の供給を停止する。これにより、ユーザの特別な操作を必要とすることなく、パーソナルコンピュータ１の消費電力を低減することができる。
【００５１】
具体的には、表示制御部４、換言すれば、ＣＰＵ１４は、インスタントＴＶチューナー２２からの映像を表示するための回路として、インスタントＴＶチューナー２２、スケーラー９、インスタントＴＶ制御部２３、リモコン受光部２４には、前述の映像を切り替える場合でも、電源部１３から電力を供給する。また、表示制御部４、換言すれば、ＣＰＵ１４は、予め定められた回路として、ＣＰＵ１４、ＨＤＤ１６、ＣＭＯＳ回路１７、ＲＡＭ１８、ＥＥＰＲＯＭ２０には、前述の映像を切り替える場合に、電源部１３からの電力の供給を停止する。例えば、表示制御部４から電源部１３に含まれる電源制御回路へ制御コマンドを送信して電源制御回路を制御することにより、前述の各回路に電力が供給され、又は、前述の各回路への電力の供給が停止される。
【００５２】
一方、表示制御部４、換言すれば、ＣＰＵ１４は、実際には、内蔵ＴＶチューナー５からの映像をインスタントＴＶチューナー２２からの映像に切り替えてディスプレイ１０に表示する場合でも、例えば、システムコントローラー１５及びキーボードコントローラー１９には、電源部１３から電力を供給し続ける。これにより、ユーザがキーボードのいずれかのキーにタッチしたことをトリガとして、ＯＳは、シャットダウン、スリープ又はハイバネーションのいずれかの状態から動作状態に復帰する。
【００５３】
なお、電源監視部２１へは、前述の映像を切り替えるか否かに拘らず、電源部１３から電力が供給され続ける。
【００５４】
表示制御部４、換言すれば、ＣＰＵ１４は、内蔵ＴＶチューナー５からの映像をインスタントＴＶチューナー２２からの映像に切り替える場合に、通信路１１を介して、インスタントＴＶチューナー２２に、チャンネル情報を通知する。これにより、切り替え後のインスタントＴＶチューナー２２からの映像を、切り替え前の内蔵ＴＶチューナー５からの映像と同一のチャンネルの映像とすることができる。従って、ユーザが内蔵ＴＶチューナー５の映像からインスタントＴＶチューナー２２への映像の切り替えを意識することはない。
【００５５】
なお、表示制御部４、換言すれば、ＣＰＵ１４が、内蔵ＴＶチューナー５からの映像をインスタントＴＶチューナー２２からの映像に切り替える場合に、インスタントＴＶチューナー２２に、チャンネル情報に加えて、音量、ミュート状態、字幕又は文字スーパーの有効又は無効状態、データ放送の表示状態を通知するようにしてもよい。これにより、切り替え後の映像の状態及び音声の状態を、切り替え前の映像の状態及び音声の状態と同一とすることができる。従って、ユーザが内蔵ＴＶチューナー５からインスタントＴＶチューナー２２への切り替えを意識することはない。
【００５６】
図３は、パーソナルコンピュータにおけるテレビ映像表示処理フローである。
【００５７】
パーソナルコンピュータ１がシャットダウンの状態にある場合において、電源監視部２１は、ユーザによりパーソナルコンピュータ１の電源ボタンが押されたことを検出して（ステップＳ１１）、システムコントローラー１５に通知する。システムコントロ−ラー１５は、電源ボタンが押された通知を受けると、ＥＥＰＲＯＭ２０に格納されたＢＩＯＳをＲＡＭ１８に読み出す（ステップＳ１２）。ＣＰＵ１４は、ＢＩＯＳがＲＡＭ１８に読み出されると、ＢＩＯＳを実行する（ステップＳ１３）。ＣＰＵ１４上で実行されるＢＩＯＳが、ＨＤＤ１６に格納されたＯＳの実行を開始し（ステップＳ１４）、ＨＤＤ１６に格納されたＯＳをＲＡＭ１８に読み出す。ＣＰＵ１４は、ＯＳがＲＡＭ１８に読み出されると、ＯＳの起動処理を実行する（ステップＳ１５）。ＣＰＵ１４は、ＯＳの起動処理が完了すると（ステップＳ１６）、プログラムの実行待ち状態となり（ステップＳ１７）、ＯＳ上のテレビ、換言すれば、内蔵テレビの起動命令が発行されたか否かを判断する（ステップＳ１８）。
【００５８】
ＯＳ上のテレビの起動命令が発行されない場合（ステップＳ１８  Ｎｏ）、ＣＰＵ１４は、ステップＳ１７を繰り返す。ＯＳ上のテレビの起動命令が発行された場合（ステップＳ１８  Ｙｅｓ）、ＣＰＵ１４は、ＯＳ上のテレビ、換言すれば、内蔵テレビの起動処理を実行する（ステップＳ１９）。ＯＳ上のテレビの起動処理については、図４を参照して後述する。
【００５９】
一方、ステップＳ１５においてＯＳの起動処理が実行されると、ＣＰＵ１４は、ＯＳの起動処理が実行されることをインスタントＴＶ制御部２３に通知する。インスタントＴＶ制御部２３は、リモコン受光部２４の初期化処理を実行し（ステップＳ１１０）、コマンド待ち状態となり（ステップＳ１１１）、リモコン２５からＯＳ上のテレビの起動命令を受信したか否かを判断する（ステップＳ１１２）。
【００６０】
ＯＳ上のテレビの起動命令を受信しない場合（ステップＳ１１２  Ｎｏ）、インスタントＴＶ制御部２３は、ステップＳ１１１を繰り返す。ＯＳ上のテレビの起動命令を受信した場合（ステップＳ１１２  Ｙｅｓ）、インスタントＴＶ制御部２３は、ステップＳ１９を実行する。
【００６１】
図４は、パーソナルコンピュータにおけるテレビ映像表示処理フローであり、図３のステップＳ１９において実行される処理を示す。
【００６２】
ＣＰＵ１４は、テレビアプリ３の起動命令が発行されると（ステップＳ２１）、ＨＤＤ１６に格納されたテレビアプリ３をＲＡＭ１８に読み出して（ステップＳ２２）、テレビアプリ３を実行する（ステップＳ２３）。
【００６３】
この後、テレビアプリ３は、内蔵ＴＶチューナー５の状態を初期化し（ステップＳ２４）、チャンネル情報に基づいて、内蔵ＴＶチューナー５のチャンネルを合わせる（ステップＳ２５）。更に、テレビアプリ３は、スケーラー９およびグラフィックス部８のセットアップを行い（ステップＳ２６）、オーディオ部７のセットアップを行い（ステップＳ２７）、内蔵ＴＶチューナー５から受け取った映像データをディスプレイ１０に出力し、音声データをオーディオ部７に出力する（ステップＳ２８）。
【００６４】
図５は、パーソナルコンピュータにおけるテレビ映像表示処理フローである。
【００６５】
パーソナルコンピュータ１の状態とは無関係に、インスタントＴＶ制御部２３は、リモコン受光部２４の初期化処理を実行して（ステップＳ３１）、コマンド待ち状態となり（ステップＳ３２）、リモコン２５からインスタントテレビの起動命令を受信したか否かを判断する（ステップＳ３３）。
【００６６】
インスタントテレビの起動命令を受信しない場合（ステップＳ３３  Ｎｏ）、インスタントＴＶ制御部２３は、ステップＳ３２を繰り返す。インスタントテレビの起動命令を受信した場合（ステップＳ３３  Ｙｅｓ）、インスタントＴＶ制御部２３は、インスタントＴＶチューナー２２の状態を初期化し（ステップＳ３４）、チャンネル情報に基づいて、インスタントＴＶチューナー２２のチャンネルを合わせる（ステップＳ３５）。更に、インスタントＴＶ制御部２３は、スケーラー９のセットアップを行い（ステップＳ３６）、インスタントＴＶチューナー２２から受け取った映像データをディスプレイ１０に出力する（ステップＳ３７）。
【００６７】
図６及び図７は、パーソナルコンピュータにおけるテレビ映像表示処理フローであり、一体となって１個のテレビ映像表示処理フローを示す。
【００６８】
図６及び図７は、インスタントＴＶ制御部２３が不揮発性メモリを含まず、内蔵ＴＶチューナー５とインスタントＴＶチューナー２２の間の送受信にインスタントＴＶ制御部２３の不揮発性メモリを使用しない場合の例である。
【００６９】
例えば、図６において、内蔵ＴＶチューナー５とテレビアプリ３を用いた内蔵ＴＶ、換言すれば、ＯＳ上のテレビを視聴している状態であるとする（ステップＳ４１）。この時、スケーラー９はパーソナルコンピュータ１の画面を表示している状態とする。
【００７０】
表示制御部４は、前回のステップＳ４３におけるチェック処理から予め定められたチェック間隔だけ待機した後（ステップＳ４２）、前回のステップＳ４３におけるチェック処理以降において、ユーザによる操作がないか否かを判断する（ステップＳ４３）。これにより、一定時間毎にユーザの操作があったかどうかがチェックされる。
【００７１】
ユーザによる操作がある場合（ステップＳ４３  Ｎｏ）、表示制御部４は、ステップＳ４２を繰り返す。ユーザによる操作がない場合（ステップＳ４３  Ｙｅｓ）、表示制御部４は、インスタントＴＶが起動しているか否かを判断する（ステップＳ４４）。
【００７２】
インスタントＴＶが起動していない場合（ステップＳ４４  Ｎｏ）、表示制御部４は、インスタントＴＶ制御部２３に対してインスタントテレビの起動指示を送信する。この時、インスタントＴＶ制御部２３の不揮発性メモリを使用しないので、チャンネル情報は、表示制御部４からインスタントＴＶ制御部２３に送信されない。インスタントＴＶ制御部２３は、インスタントテレビの起動指示を受信すると、インスタントＴＶチューナー２２に対して起動指示を送信して、インスタントＴＶを起動させる（ステップＳ４５）。
【００７３】
インスタントＴＶチューナー２２は、起動指示を受信すると、起動処理を実行して（ステップＳ４６）、起動処理が完了すると（ステップＳ４７）、起動処理の完了をインスタントＴＶ制御部２３に対して送信する。
【００７４】
インスタントＴＶ制御部２３は、起動処理の完了を受信すると、インスタントＴＶの起動完了を認識し（ステップＳ４８）、表示制御部４に完了を通知する。
【００７５】
インスタントＴＶが起動している場合（ステップＳ４４  Ｙｅｓ）、表示制御部４は、チャンネル情報の通知処理を実行して、その時点において選択されているチャンネルを示すチャンネル情報を、インスタントＴＶ制御部２３に対して送信する（ステップＳ４９）。インスタントＴＶ制御部２３は、チャンネル情報を受信すると、受信したチャンネル情報を、インスタントＴＶチューナー２２に通知する（ステップＳ４１０）。インスタントＴＶチューナー２２は、チャンネル情報を受信すると、受信したチャンネル情報に基づいて、チャンネル変更処理を実行して、自己のチューナーを受信したチャンネルに変更する（ステップＳ４１１）。
【００７６】
この後、図７に示すように、インスタントＴＶチューナー２２は、チャンネル変更処理を完了すると（ステップＳ４１２）、チャンネル変更の完了通知をインスタントＴＶ制御部２３に送信する。インスタントＴＶ制御部２３は、チャンネル変更の完了通知を受信すると、チャンネル変更の完了通知を認識する（ステップＳ４１３）。そして、インスタントＴＶ制御部２３は、受信したチャンネル変更の完了通知を表示制御部４に送信し、また、インスタントＴＶ制御部２３は、ディスプレイ１０の表示画面をインスタントテレビに切り替えることを指示する表示画面切り替え指示を、スケーラー９に対して送信する。
【００７７】
表示制御部４は、チャンネル変更の完了通知を受信すると、ＯＳに対してシャットダウン処理開始のメッセージを送信する。ＯＳは、シャットダウン処理開始のメッセージを受信すると、シャットダウン処理を開始し（ステップＳ４１４）、シャットダウン処理を完了する（ステップＳ４１５）。これにより、パーソナルコンピュータ１がシャットダウン状態になる。
【００７８】
一方、スケーラー９は、表示画面切り替え指示を受信すると、ディスプレイ１０の表示画面をインスタントテレビに切り替える（ステップＳ４１６）。これにより、ディスプレイ１０の映像は、インスタントＴＶチューナー２２からの映像に切り替えられる。
【００７９】
以上、本発明をその実施の態様に従って、説明したが、本発明は、その主旨の範囲において種々の変形が可能である。
【００８０】
例えば、図１〜図７の例においては、インスタントＴＶ制御部２３が不揮発性メモリを含まず、内蔵ＴＶチューナー５とインスタントＴＶチューナー２２の間の送受信にインスタントＴＶ制御部２３の不揮発性メモリを使用しない場合について説明した。しかし、図８に示すように、インスタントＴＶ制御部２３が不揮発性メモリを含み、内蔵ＴＶチューナー５とインスタントＴＶチューナー２２の間の送受信にインスタントＴＶ制御部２３の不揮発性メモリを使用するようにしてもよい。
【００８１】
図８は、パーソナルコンピュータにおけるテレビ映像表示処理フローである。
【００８２】
例えば、内蔵ＴＶチューナー５とテレビアプリ３を用いた内蔵ＴＶ、換言すれば、ＯＳ上のテレビを視聴している状態であるとする（ステップＳ５１）。この時、スケーラー９はパーソナルコンピュータ１の画面を表示している状態とする。
【００８３】
表示制御部４は、前回のステップＳ５３におけるチェック処理から予め定められたチェック間隔だけ待機した後（ステップＳ５２）、前回のステップＳ５３におけるチェック処理以降において、ユーザによる操作がないか否かを判断する（ステップＳ５３）。
【００８４】
ユーザによる操作がある場合（ステップＳ５３  Ｎｏ）、表示制御部４は、ステップＳ５２を繰り返す。ユーザによる操作がない場合（ステップＳ５３  Ｙｅｓ）、表示制御部４は、インスタントＴＶが起動しているか否かを判断する（ステップＳ５４）。
【００８５】
インスタントＴＶが起動していない場合（ステップＳ５４  Ｎｏ）、表示制御部４は、インスタントＴＶ制御部２３に対してインスタントテレビの起動指示を送信する。この時、インスタントＴＶ制御部２３の不揮発性メモリを使用するので、チャンネル情報が、例えばインスタントテレビの起動指示と共に、表示制御部４からインスタントＴＶ制御部２３に送信される。
【００８６】
インスタントＴＶ制御部２３は、インスタントテレビの起動指示を受信すると、インスタントＴＶチューナー２２に対して起動指示を送信して、インスタントＴＶを起動させる（ステップＳ５５）。また、インスタントＴＶ制御部２３は、チャンネル情報を受信すると、受信したチャンネル情報を、インスタントＴＶ制御部２３の不揮発性メモリに保持する（ステップＳ５５）。
【００８７】
インスタントＴＶチューナー２２は、起動指示を受信すると、起動処理を実行して（ステップＳ５６）、起動処理が完了すると（ステップＳ５７）、起動処理の完了をインスタントＴＶ制御部２３に対して送信する。
【００８８】
インスタントＴＶ制御部２３は、起動処理の完了を受信すると、インスタントＴＶの起動完了を認識し（ステップＳ５８）、保持したチャンネル情報を、インスタントＴＶチューナー２２に通知する（ステップＳ５９）。インスタントＴＶチューナー２２は、チャンネル情報を受信すると、受信したチャンネル情報に基づいて、チャンネル変更処理を実行して、自己のチューナーを受信したチャンネルに変更する（ステップＳ５１０）。
【００８９】
インスタントＴＶが起動している場合（ステップＳ５４  Ｙｅｓ）、表示制御部４は、チャンネル情報をインスタントＴＶ制御部２３に対して送信する。インスタントＴＶ制御部２３は、チャンネル情報を受信すると、ステップＳ５９を実行する。
【００９０】
ステップＳ５１０の実行の後、図７に示すステップＳ４１２〜Ｓ４１６と同様の処理が実行される。
【００９１】
また、図１〜図７の例においては、内蔵ＴＶチューナーからの映像を表示する処理以外の処理の指示が予め定められた期間入力されない場合に、内蔵ＴＶチューナー５からの映像をインスタントＴＶチューナー２２からの映像に切り替える場合について説明した。しかし、これ以外の場合にも、内蔵ＴＶチューナー５からの映像をインスタントＴＶチューナー２２からの映像に切り替えるようにしてもよい。
【００９２】
具体的には、パーソナルコンピュータ１が予め定められた時間に動作している場合に、パーソナルコンピュータ１が予め定められた状態であると判断して、内蔵ＴＶチューナー５からの映像をインスタントＴＶチューナー２２からの映像に切り替えるようにしてもよい。これにより、予め定めた時間における消費電力を低減することができる。
【００９３】
この場合、例えば、予め定められた時間として、夜間や早朝等のパーソナルコンピュータ１を使用しないことが判っている時間が定められる。予め定められた時間は、例えば、ユーザによりキーボードから入力され、表示制御部４が例えばレジスタ又はＲＡＭ１８に保持する。表示制御部４は、保持する予め定められた時間に基づいて、パーソナルコンピュータ１が予め定められた時間に動作している場合に、内蔵ＴＶチューナー５からの映像をインスタントＴＶチューナー２２からの映像に切り替える。
【００９４】
また、パーソナルコンピュータ１の温度が予め定められた温度以上の状態が予め定められた時間続いている場合に、パーソナルコンピュータ１が予め定められた状態であると判断して、内蔵ＴＶチューナー５からの映像をインスタントＴＶチューナー２２からの映像に切り替えるようにしてもよい。これにより、インスタントＴＶチューナー２２からの映像に切り替えることにより、消費電力を低減することができ、更に、温度が高い状態で稼働する冷却機構を停止してその分消費電力を低減することができる。
【００９５】
この場合、例えば、パーソナルコンピュータ１は、パーソナルコンピュータ１の例えば筐体の内部の温度を測定する温度取得手段を含む。温度取得手段は、例えば温度計と、温度計の計測値をデジタル信号に変換するＡＤ（Ａｎａｌｏｇ  ｔｏ  ｄｉｇｉｔａｌ）変換器を含む。表示制御部４は、温度計の計測値に基づいて、温度計の計測値が予め定められた温度以上の状態が予め定められた時間続いている場合に、内蔵ＴＶチューナー５からの映像をインスタントＴＶチューナー２２からの映像に切り替える。
【００９６】
以上の説明から理解されるように、以下のような実施の態様が把握される。
【００９７】
（付記１）  映像を表示装置に表示する内蔵ＴＶチューナーと、
ＯＳを起動することなく映像を表示装置に表示するインスタントＴＶチューナーと、
前記ＯＳ上で動作するアプリケーションにより前記内蔵ＴＶチューナーからの映像を表示装置に表示している場合において、情報処理装置が予め定められた状態である場合に、前記内蔵ＴＶチューナーからの映像を前記インスタントＴＶチューナーからの映像に切り替えて表示装置に表示する表示制御部とを含む
ことを特徴とする情報処理装置。
【００９８】
（付記２）  前記情報処理装置が予め定められた状態である場合は、前記ＯＳ上で動作する前記アプリケーションにより前記内蔵ＴＶチューナーからの映像を表示装置に表示する処理以外の処理の指示が、予め定められた期間、入力されない場合である
ことを特徴とする付記１に記載の情報処理装置。
【００９９】
（付記３）  前記情報処理装置が予め定められた状態である場合は、前記情報処理装置が予め定められた時間に動作している場合である
ことを特徴とする付記１に記載の情報処理装置。
【０１００】
（付記４）  前記情報処理装置が予め定められた状態である場合は、前記情報処理装置の温度が予め定められた温度以上の状態が予め定められた時間続いている場合である
ことを特徴とする付記１に記載の情報処理装置。
【０１０１】
（付記５）  前記表示制御部は、前記内蔵ＴＶチューナーからの映像を表示装置に表示する処理以外の処理の指示が、予め定められた期間、入力されない場合に、前記ＯＳを予め定められた状態とする
ことを特徴とする付記２に記載の情報処理装置。
【０１０２】
（付記６）  前記ＯＳの予め定められた状態は、シャットダウン、スリープ又はハイバネーションのいずれかの状態である
ことを特徴とする付記５に記載の情報処理装置。
【０１０３】
（付記７）  前記ＯＳが前記スリープ又はハイバネーションのいずれかの状態とされた場合において、キーボード、マウス、テレビのリモートコントローラー又は前記情報処理装置の電源ボタンが操作された場合に、前記ＯＳは、前記スリープ又はハイバネーションのいずれかの状態から動作状態に復帰する
ことを特徴とする付記６に記載の情報処理装置。
【０１０４】
（付記８）  前記内蔵ＴＶチューナーからの映像を表示装置に表示する処理以外の処理の指示は、キーボード、マウス、テレビのリモートコントローラー又は前記情報処理装置の電源ボタンの操作により入力される指示である
ことを特徴とする付記１に記載の情報処理装置。
【０１０５】
（付記９）  前記表示制御部は、前記内蔵ＴＶチューナーからの映像を前記インスタントＴＶチューナーからの映像に切り替える場合に、前記インスタントＴＶチューナーに、チャンネル情報を通知する
ことを特徴とする付記１に記載の情報処理装置。
【０１０６】
（付記１０）  前記表示制御部は、前記内蔵ＴＶチューナーからの映像を前記インスタントＴＶチューナーからの映像に切り替える場合に、前記インスタントＴＶチューナーに、前記チャンネル情報に加えて、音量、ミュート状態、字幕又は文字スーパーの有効又は無効状態、データ放送の表示状態を通知する
ことを特徴とする付記９に記載の情報処理装置。
【０１０７】
（付記１１）  前記表示制御部は、前記内蔵ＴＶチューナーからの映像を前記インスタントＴＶチューナーからの映像に切り替えて表示装置に表示する場合に、前記インスタントＴＶチューナーからの映像を表示するための回路に電力を供給させ、前記インスタントＴＶチューナーからの映像を表示するための回路以外の回路であって予め定められた回路への電力の供給を停止する
ことを特徴とする付記１に記載の情報処理装置。
【０１０８】
（付記１２）  映像を表示装置に表示する内蔵ＴＶチューナーと、ＯＳを起動することなく映像を表示装置に表示するインスタントＴＶチューナーとを含む情報処理装置の表示制御方法であって、
前記ＯＳ上で動作するアプリケーションにより前記内蔵ＴＶチューナーからの映像を表示装置に表示している場合において、前記情報処理装置が予め定められた状態である場合に、前記内蔵ＴＶチューナーからの映像を前記インスタントＴＶチューナーからの映像に切り替えて表示装置に表示する
ことを特徴とする表示制御方法。
【０１０９】
（付記１３）  映像を表示装置に表示する内蔵ＴＶチューナーと、ＯＳを起動することなく映像を表示装置に表示するインスタントＴＶチューナーとを含む情報処理装置を制御する表示制御プログラムであって、
コンピュータに、
前記ＯＳ上で動作するアプリケーションにより前記内蔵ＴＶチューナーからの映像を表示装置に表示している場合において、前記情報処理装置が予め定められた状態である場合に、前記内蔵ＴＶチューナーからの映像を前記インスタントＴＶチューナーからの映像に切り替えて表示装置に表示する、処理を実行させる
ことを特徴とする表示制御プログラム。
【符号の説明】
【０１１０】
１    パーソナルコンピュータ
２    パソコン制御部
３    テレビアプリ
４    表示制御部
５    内蔵ＴＶチューナー
６    ＴＶアンテナ部
７    オーディオ部
８    グラフィックス部
９    スケーラー
１０    ディスプレイ
１１    通信路
１２    インスタントＴＶチューナー部
１３    電源部
１４    ＣＰＵ
１５    システムコントローラー
１６    ＨＤＤ
１７    ＣＭＯＳ回路
１８    ＲＡＭ
１９    キーボードコントローラー
２０    ＥＥＰＲＯＭ
２１    電源監視部
２２    インスタントＴＶチューナー
２３    インスタントＴＶ制御部
２４    リモコン受光部
２５    リモコン
【図１】
2014123242.tif 000003
【図２】
2014123242.tif 000004
【図３】
2014123242.tif 000005
【図４】
2014123242.tif 000006
【図５】
2014123242.tif 000007
【図６】
2014123242.tif 000008
【図７】
2014123242.tif 000009
【図８】
2014123242.tif 000010